(57)【特許請求の範囲】
【請求項１】
内部に釣り用リールから繰り出された釣り糸の挿通経路が形成された中通し竿の竿体であって、
前記中通し竿の竿体は、リール取付部を有する竿元側竿体と糸導入孔を有する竿先側竿体とからなる、リール取付部と糸導入孔との間の距離を変更可能なズーム機構を有し、
前記竿先側竿体は、第１筒体と、前記第１筒体の竿先部外周に嵌合固定された第２筒体とを有し、前記嵌合固定部分において前記第２筒体の外周に肉厚部が形成され、
前記第１筒体と第２筒体との嵌合部分の周面に両者を貫通して形成された糸導入孔と、前記第２筒体の糸導入口より竿先側の内周部に形成された糸案内突起とを備えており、
前記ズーム機構において、前記竿先側竿体の前記糸導入孔の肉厚部に竿元側竿体の竿先部が嵌合されてなる、中通し竿の竿体。
【請求項２】
前記リールから繰り出された釣り糸を前記糸導入孔に案内する糸案内部をさらに備える、請求項１に記載の中通し竿の竿体。
【請求項３】
前記糸案内突起は、前記第２筒体の内周部に螺旋状に形成されている、請求項１又は２に記載の中通し竿の竿体。
【発明の詳細な説明】
【０００１】
【発明の属する技術分野】
本発明は、内部に釣り用リールから繰り出された釣り糸の挿通経路が形成された中通し竿の竿体及びズーム機構に関する。
【０００２】
【従来の技術】
中通し竿は、釣り用リールから繰り出された釣り糸の挿通経路が内部に有するとともに、手元側に挿通経路と外部とを連通させる糸導入孔を有している。このような中通し竿では、リールからの釣り糸は糸導入孔を通して竿体内部の挿通経路に導入され、さらに竿体の先端側の開口に導かれる。
【０００３】
この種の中通し竿において、竿先の位置決めに自在な対応力を発揮するために元竿の軸方向長さが可変のズーム式中通し竿が実開平６−９４６２号に開示されている。
このズーム式中通し竿の元竿は、釣り糸が挿通する内部経路と、リール取付部と、リール取付部に装着された釣り糸を内部経路に導入する糸導入孔と、リール取付部と糸導入孔との間の距離を変更可能なズーム機構とを有している。そして元竿には１又は複数の穂先側竿体が連結されている。この中通し竿では、リール取付部と糸導入孔との間の距離をズーム機構を調整することで、道糸の出発点を自在に設定することができ、制約が多い磯釣りにおいて穂先位置を自在に位置決めすることができる。
【０００４】
ズーム機構を構成するために、元竿は、竿元側竿体と竿元側竿体に伸縮自在似装着されかつ少なくとも伸長位置と収縮位置とで竿元側竿体に保持される竿先側竿体との２つの竿体から構成されている。糸導入孔は、竿先側竿体の先端部に設けられている。また、釣り糸が竿体内壁に付着したり接触したりして釣り糸の通過抵抗が増加しないようにするために、元竿に連結された穂先側竿体の内部経路には糸案内突起が形成されている。このように糸導入孔を竿先側竿体の先端部に設けることで、竿先側竿体に糸案内突起を形成する必要がなくなる。
【０００５】
【発明が解決しようとする課題】
前記従来の構成では、ズーム機構によりリール取付部と糸導入孔との距離を最大にすると、リールと糸導入孔との距離が長くなるので、釣り糸を繰り出したとき等に糸ふけたるみが大きくなる。この糸ふけたるみを防止するためには、糸導入孔の位置を竿先側竿体の先端部ではなく先端部より可及的に竿元側に配置してリール取付部と糸導入孔との距離を短くする必要がある。しかし、糸導入孔を竿元側に配置すると、竿体先端部と糸導入孔との距離が長くなる。このため、竿先側竿体の先端部と糸導入孔との間に糸案内突起を形成した方が釣り糸の抵抗が少なくなる。この糸案内突起は、通常、竿体製造時に竿体と一体で形成されるため、糸導入孔より先端部だけに糸案内突起を形成するのは困難である。したがって、この場合には竿先側竿体の全長にわたり糸案内突起を形成しなければならない。このように竿体の全長にわたり糸案内突起を設けると、必要がない部分にも糸案内突起を設けなければならず、竿体の製造時のロスが多くなる。
【０００６】
このことは、ズーム機構を有していない中通し竿の竿体でも同様であり、糸導入孔を竿体の先端部ではなく先端部より竿元側に配置すると、竿体の全長にわたり糸案内突起を形成しなければならず、前述と同様に竿体製造時のロスが多くなる。
本発明の課題は、糸導入孔が先端部より竿元側に配置された中通し竿の竿体において、糸案内突起を設けても竿体製造時のロスを可及的に少なくすることにある。
【０００７】
本発明の別の課題は、糸ふけたるみが少なくかつ釣り糸の通過抵抗が少ない中通し竿のズーム機構を提供することにある。
【０００８】
【課題を解決するための手段】
発明１に係る中通し竿の竿体は、
内部に釣り用リールから繰り出された釣り糸の挿通経路が形成された中通し竿の竿体であって、前記中通し竿の竿体は、リール取付部を有する竿元側竿体と糸導入孔を有する竿先側竿体とからなる、リール取付部と糸導入孔との間の距離を変更可能なズーム機構を有し、前記竿先側竿体は、第１筒体と、前記第１筒体の竿先部外周に嵌合固定された第２筒体とを有し、前記嵌合固定部分において前記第２筒体の外周に肉厚部が形成され、前記第１筒体と第２筒体との嵌合部分の周面に両者を貫通して形成された糸導入孔と、前記第２筒体の糸導入口より竿先側の内周部に形成された糸案内突起とを備えており、前記ズーム機構において、前記竿先側竿体の前記糸導入孔の肉厚部に竿元側竿体の竿先部が嵌合されてなるものである。
【０００９】
この中通し竿の竿体では、竿元側の第１筒体には糸案内突起は形成されず、竿先側の第２筒体の内周部にのみ糸案内突起が形成されている。そして２つの筒体の嵌合部、つまり第２筒体の竿元側に糸導入孔が形成されている。ここでは、糸案内突起が第２筒体の糸導入口より竿先側のみ形成されており、第１筒体には形成されていないので、糸導入孔を竿体の先端部より竿元側に形成しても竿体製造時のロスが少なくなる。そして、第２筒体は、第１筒体の先端部外周に嵌合固定されている。この場合には、第１筒体の径が第２筒体より細くなるので、１本の竿体に一体で糸案内突起を形成する場合に比べて竿体の径を細くすることができる。
また、第１筒体と第２筒体との嵌合固定部分において外周側の筒体に肉厚部が形成されているので、糸導入孔の形成による強度の低下をより抑えることができるとともに、この竿体と竿元側竿体とで構成されるズーム機構において、竿元側竿体にこの竿体を保持させることができる。
さらに、この中通し竿の竿体は、伸長位置と収縮位置とでこの竿体を保持可能な竿元側竿体を備えているので、糸導入孔が先端部より竿元側に配置されるので、伸長位置で竿体を保持しても糸ふけ弛みが少なくなる。しかも、糸導入孔の竿先側の第２筒体に糸案内突起が形成されているので、釣り糸の通過抵抗も少なくなる。
【００１０】
発明２に係る中通し竿の竿体は、発明１に記載の竿体において、リールから繰り出された釣り糸を糸導入孔に案内する糸案内部をさらに備える。この場合には、リールからの釣り糸が糸案内部を介して糸導入孔に案内されるので、リールにより釣り糸が上下左右に振られても釣り糸案内部で規制され釣り糸と糸導入孔との摩擦抵抗を小さく維持できる。
【００１２】
発明３に係る中通し竿の竿体は、発明１又は２に記載の竿において、糸案内突起は、第２筒体の内周部に螺旋状に形成されている。この場合には、糸案内突起が連続した形状になるので第２筒体と一体で糸案内突起を形成しやすい。
【００１４】
【発明の実施の形態】
図１及び図２において、本発明の一実施形態による中通し竿は、元竿１と、元竿１に連結された穂先側竿体ユニット２とを有している  元竿１は、必要に応じて長さを変更可能なズーム機構３を有している。ズーム機構３は、竿元側竿体４と、竿元側竿体４の内部に竿元側竿体４に対して伸縮自在に挿入された竿先側竿体５とから構成されている。
【００１５】
竿元側竿体４は、わずかに先細りの筒状に形成され、その一面にはリール１０が取り付けられるリールシート１１が形成されている。竿元側竿体４は、竿尻部に取り付けられた尻栓１２を有している。尻栓１２は、図３及び図４に示すように、竿元側竿体４の竿尻の外周面に堅く嵌め込まれた環状取付部１３と、環状取付部１３の後端に嵌め込まれたキャップ部１４と、キャップ部１４の内周側に配置された環状固定部１５と、環状固定部１５の後端を閉止する当て板１６とを有している。環状固定部１５は、ズーム機構３の収縮状態でその内周部で竿先側竿体５の竿尻外周部を嵌合により固定可能である。
【００１６】
竿先側竿体５は、竿元側竿体４と同様に先細りの筒状に形成されている。竿先側竿体５の竿尻部の外径は、竿元側竿体４の竿先部の内径より大きい。これにより、図２及び図４に示す伸長状態で、竿先側竿体５は竿元側竿体４から抜けず、かつ竿元側竿体４と竿先側竿体５とが固定される。
図５に、元竿１の先端部分の構造を示す。なお、図５では、穂先側竿体ユニット２を収納した状態を示している。
【００１７】
竿先側竿体５は、図５に示すように、竿元側竿体４の先端に伸縮自在に装着された第１筒体６と、第１筒体６の先端部の外周側に嵌合固定された筒状の第２筒体７とを有している。第１筒体６は竿先側竿体５の全長に対して８０％〜９５％程度の長さを有する先細り筒状の部材であり、第２筒体は、２０％〜５％程度の長さを有する筒状又は先細り筒状の部材である。第２筒体７が第１筒体６に嵌合固定される第２筒体７の後端部には、他の部分より外径が大きい肉厚部２０が形成されている。この肉厚部２０は、竿先側竿体５が竿元側竿体４内に挿入されその竿尻端が当て板１６に当接した状態で、竿元側竿体４の竿先部内周に後端部が位置するように配置されている。このため、図１、図３及び図５に示す収縮状態で竿元側竿体４の尻栓１２の環状固定部１５と竿先側竿体５の竿尻部とで両者が嵌合により固定されるとともに、さらに竿元側竿体４の竿先部と竿先側竿体５の肉厚部２０とで両者が嵌合により固定される。
【００１８】
第２筒体７の糸導入孔２１より竿先側の内周面には、螺旋状の糸案内突起２４が形成されている。糸案内突起２４は、断面形状が半楕円形で滑らかな表面が内方に突出する部材であり、第２筒体７の製造時に第２筒体７と同種の繊維強化樹脂によって一体で形成される。この糸案内突起２４を糸導入孔２１より竿先側に設けることで、釣り糸の摺動抵抗が少なくなり釣り糸がスムーズに竿体内部を移動できる。
【００１９】
また、第２筒体７の後端部（嵌合固定部）の周面には両筒体６，７を貫通する糸導入孔２１が形成されている。糸導入孔２１は、リール１０から繰り出された釣り糸Ｌを竿体内部に導入するためのものである。糸導入孔２１には平面視長円状の釣り糸ガイド２２が嵌め込まれている。釣り糸ガイド２２は、糸導入孔２１の前後位置で糸により肉厚部２０に固定されている。釣り糸ガイド２２は、糸導入孔２１に沿った開口２２ａを有するとともに後端部に斜め上方に向いた透孔２２ｂを有している。この透孔２２ｂには、硬質セラミック製のガイドリング２３が装着されている。釣り糸ガイド２２は、ガイドリング２３によりリール１０から繰り出された釣り糸をズーム機構３の伸縮状態に係わらず所定の角度範囲で糸導入孔２１に案内する。第２筒体７の先端部には穂先側竿体ユニット２を先端部で保持するための保持部７ａが内周部に形成されている。この保持部７ａの内径は、糸案内突起２４よりやや小さい。
【００２０】
穂先側竿体ユニット２は、トップガイド３０を有する最も先端の第１番竿３１と、第１番竿３１を支持するとともに内部に収納可能な第２番竿３２と、第２番竿３１を内部に収納可能でかつ竿先側竿体５に挿入可能な第３番竿３３とを有している。第３番竿３３の外径は糸案内突起２４よりやや小さく、穂先側竿体ユニット２は元竿１の内部を移動可能である。このように、穂先側竿体ユニット２を構成する３本の竿３１，３２，３３は振出形式で連結されている。そして、これらの竿の内部には、釣り糸が挿通する内部経路Ｐ（図５参照）が形成される。
【００２１】
第３番竿３３の後端開口部には筒状の弾性保持体３５がネジ止めされている。そしてこの弾性保持体３５の後端開口部３５ａに硬質リング２６ａが装着されている。また、弾性保持体３５の内部には第１番竿３１の後端部が挿入され、さらに弾性保持体３５の前端部に第２番竿３２の後端が当接している。なお、第１番竿３１及び第２番竿３２の後端開口部には、釣り糸を案内する硬質リング２６ｂ，２６ｃが装着されている。
【００２２】
このような実施例の構造において、リール１０からの釣り糸を竿内部に挿入する場合は、穂先側竿体ユニット２を図５に示す位置より収納した収縮状態とする。この収縮状態では、穂先側竿体ユニット２の各竿の後端開口を糸導入孔２１の近くに位置させることができるので、釣り糸の挿通作業が容易になる。しかも第１筒体６を第２筒体７の内周側に嵌合固定したので、一体構造の竿先側竿体５に糸案内突起を形成する場合に比べて竿先側竿体５を細くすることができるとともに、製造時のロスを大幅に低下させることができる。また、肉厚部２０を設けて糸導入孔２１をあけることによる強度低下を補うとともに、この肉厚部２０をズーム機構３が収縮位置にあるとき竿先側竿体５を竿元側竿体４に嵌合固定できる。なお、肉厚部２０を設けなくても糸導入孔２１の形成部分の肉厚が厚くなるので、糸導入孔２１をあけることによる強度低下を補うことはできる。
【００２３】
また、釣り糸の巻き取り及び繰り出し操作時においては、糸導入孔２１がズーム機構３が収縮時に竿元側竿体４に近接した竿元側に配置されているので、釣り糸の糸ふけたるみが生じにくくなる。しかも、竿先側竿体５を２つの筒体６，７に分割し、第２筒体７の内周面にのみ糸案内突起２４を形成したので、竿先側竿体５の製造時に全長にわたり糸案内突起を形成する場合より製造ロスが少なくなる。
【００２４】
〔他の実施形態〕
（ａ）  前記実施形態では糸案内突起の断面形状を半楕円形にしたが、本発明はこれに限定されるものではなく、糸案内突起の断面形状は台形や矩形等の他の形状でも角が丸みをおびた形状であればどのような形状でもよい。
（ｂ）  前記実施形態では第２筒体７が第１筒体６の外周側に嵌合固定されているが、図６に示すように、内周側に嵌合固定してもよい。この場合には、第２筒体７の径が第１筒体６より細くなるので、第２筒体７に連結される穂先側竿体ユニット２の径を小さくして感度が高い中通し竿を提供できる。
【００２５】
（ｃ）  前記実施形態ではズーム機構を有する中通し竿を例に説明したが、ズーム機構を有していない中通し竿であっても、糸導入孔が先端部より竿元側に配置され糸導入孔と先端部との間の内周部に糸案内突起を有する全ての中通し竿の竿体に本発明を適用できる。
【００２６】
【発明の効果】
本発明に係る中通し竿の竿体では、糸案内突起が第２筒体にのみ形成されており、第１筒体には形成されていないので、糸導入孔を竿体の先端部より竿元側に形成しても竿体製造時のロスが少なくなる。
本発明に係る中通し竿のズーム機構では、糸導入孔が先端部より竿元側に配置されるので、伸長位置で竿体を保持しても糸ふけ弛みが少なくなる。しかも、糸導入孔の竿先側の第２筒体に糸案内突起が形成されているので、釣り糸の通過抵抗も少なくなる。
【図面の簡単な説明】
【図１】本発明の一実施形態による中通し竿のズーム収縮時の側面図。
【図２】その中通し竿のズーム伸長時の側面図。
【図３】その中通し竿のズーム収縮時の縦断面図。
【図４】その中通し竿のズーム伸長時の縦断面図。
【図５】その中通し竿のズーム収縮時の元竿先端部分の縦断面図。
【図６】他の実施形態の図５に相当する図。
【符号の説明】
１  元竿
２  穂先側竿体ユニット
３  ズーム機構
４  竿元側竿体
５  竿先側竿体
６  第１筒体
７  第２筒体
１０  リール
１１  リールシート
２１  糸導入孔
２２  釣り糸ガイド
２４  糸案内突起
【図１】
0003922474.tif 000002
【図２】
0003922474.tif 000003
【図３】
0003922474.tif 000004
【図４】
0003922474.tif 000005
【図５】
0003922474.tif 000006
【図６】
0003922474.tif 000007